(57)【要約】【課題】製造コストを低廉化できるとともに、裏写りの除去性能の低下を抑制できる画像読取装置を提供する。【解決手段】画像読取装置１は、本体部９と、第１収容空間９Ａ内に設けられた読取部３０と、読取部３０を移動させる第１移動手段１０と、本体部９に開閉可能に支持され、透明部６を有する開閉部７と、第２収容空間７Ａ内に設けられ、開閉部７が閉鎖位置にある状態で、支持板８及び透明部６を間に位置させつつ読取部３０に対向可能な背景部４０と、背景部４０を移動させる第２移動手段２０と、背景部４０を読取部３０に対向させつつ読取動作を実行する制御部３と、を備える。背景部４０は、白色領域Ｗ１、Ｗ２及び黒色領域Ｂ１、Ｂ２を有する。制御部３は読取動作において、裏写りを除去する場合、黒色領域Ｂ１、Ｂ２を読取部３０に対向させる一方、裏写りを除去しない場合、白色領域Ｗ１、Ｗ２を読取部３０に対向させる。【選択図】図４
2020053817.tif 000002
【特許請求の範囲】
【請求項１】
原稿支持面が形成された支持板を有し、内部に第１収容空間が区画された本体部と、
前記第１収容空間内に設けられ、前記原稿支持面に支持された原稿の画像を主走査方向において読み取る読取部と、
前記読取部を前記主走査方向と直交する副走査方向に往復移動させる第１移動手段と、
前記原稿支持面を覆う閉鎖位置と、前記原稿支持面を開放する開放位置と、の間で変位可能に前記本体部に支持され、前記原稿支持面に対向可能な透明部を有し、内部に第２収容空間が区画された開閉部と、
前記第２収容空間内に設けられ、前記開閉部が前記閉鎖位置にある状態で、前記支持板及び前記透明部を間に位置させつつ前記読取部に対向可能な背景部と、
前記背景部を前記副走査方向に往復移動させる第２移動手段と、
前記第１移動手段及び前記第２移動手段を作動させることにより、前記背景部を前記読取部に対向させつつ前記読取部を前記副走査方向に移動させて、前記原稿支持面に支持された原稿の画像を読み取る読取動作を実行する制御部と、を備え、
前記背景部は、前記副走査方向において並ぶ白色領域及び黒色領域を有し、
前記制御部は、前記読取動作において裏写りを除去する場合、前記黒色領域を前記読取部に対向させる一方、前記読取動作において裏写りを除去しない場合、前記白色領域を前記読取部に対向させることを特徴とする画像読取装置。
【請求項２】
前記第１移動手段及び前記第２移動手段を駆動するための駆動力を発生する駆動源と、
前記第２移動手段に、前記駆動源からの所定値以下の前記駆動力を伝達するトルクリミッタと、
前記第２収容空間における前記副走査方向の一方の端部に配置され、前記背景部の前記一方への移動を制限する第１ストッパと、
前記第２収容空間における前記副走査方向の他方の端部に配置され、前記背景部の前記他方への移動を制限する第２ストッパと、
を備えている請求項１記載の画像読取装置。
【請求項３】
前記第１収容空間における前記原稿支持面よりも前記副走査方向の前記一方にずれた位置には、前記読取部の原点位置が設定され、
前記制御部は、前記読取動作を実行するときに、準備動作として、
前記第１移動手段及び前記第２移動手段を同期させて前記読取部及び前記背景部を前記副走査方向の前記他方に向けて移動させ、前記背景部が前記第２ストッパにより前記副走査方向の前記他方への移動が制限された後にも、前記読取部をさらに前記副走査方向の前記他方に向けて移動させ、前記読取部を前記背景部の特定の前記白色領域に対向させる第１動作と、
前記第１動作の後、前記第１移動手段及び前記第２移動手段を同期させて前記読取部及び前記背景部を前記副走査方向の前記一方に向けて移動させ、前記読取部を前記原点位置に停止させる第２動作と、を実行し、
さらに、前記制御部は、前記背景部における前記白色領域及び前記黒色領域の他方を前記読取部に対向させる場合、前記背景部が前記第１ストッパにより移動を制限された状態で、前記第１移動手段によって、前記読取部を前記原点位置から前記副走査方向の前記一方に向けて所定距離移動させる第３動作を実行する請求項２記載の画像読取装置。
【請求項４】
前記原稿支持面よりも前記副走査方向の前記一方にずれた位置で前記第１収容空間を区画して前記読取部に対向可能な内壁面には、前記副走査方向において並ぶ白基準領域及び黒基準領域が設けられ、
前記制御部は、前記第２動作において、前記読取部が前記白基準領域と前記黒基準領域との境界を読み取った位置に基づいて、前記読取部を前記原点位置に停止させる請求項３記載の画像読取装置。
【請求項５】
前記読取部に対する前記背景部の位置を示す前記背景部位置情報を記憶する位置情報記憶部を備え、
前記制御部は、前記白色領域が前記読取部に対向する状態と、前記黒色領域が前記読取部に対向させる状態とを切り替える場合、前記背景部位置情報に基づいて、前記第１動作を実施するか、又は前記第３動作を実施するかを決定する請求項３又は４記載の画像読取装置。
【請求項６】
前記制御部は、
前記背景部位置情報に基づいて、前記白色領域及び前記黒色領域のどちらが前記読取部に対向しているかを判断し、
前記黒色領域が前記読取部に対向していると判断し、かつ裏写りを除去しない場合において、前記副走査方向の前記一方側に前記白色領域が存在していれば、前記第３動作を実施する一方、前記副走査方向の前記一方側に前記白色領域が存在していなければ、前記第１動作を実施する請求項５記載の画像読取装置。
【請求項７】
前記背景部は、前記白色領域及び前記黒色領域の組を複数組有し、
各前記白色領域と各前記黒色領域とが前記副走査方向において交互に並んでいる請求項２乃至６のいずれか１項記載の画像読取装置。
【請求項８】
前記開閉部における前記透明部とは反対を向く面側には、前記開閉部が前記閉鎖位置にある状態で、前記第２収容空間及び前記透明部を間に位置させつつ前記原稿支持面に対向する透明な窓部が設けられている請求項１乃至７のいずれか１項記載の画像読取装置。
【請求項９】
前記背景部の前記副走査方向の長さは、前記読取部の前記副走査方向の長さの２倍以上に設定されている請求項１乃至８のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置では、画像読取部が収容された原稿載置台に開閉可能に支持された原稿押圧板が調光部材を有している。そして、この画像読取装置では、画像読取部によって原稿載置台に支持された原稿の画像を読み取る際に、調光部材に対する電圧の印加を制御して背景色を黒又は白に切り替えることで、裏写りを除去するか否かを切り替え可能となっている。
【先行技術文献】
【特許文献】
【０００３】
【特許文献１】特開２００９−７１６６７号公報
【発明の概要】
【発明が解決しようとする課題】
【０００４】
しかし、上記従来の画像読取装置では、調光部材が原稿載置台における原稿を支持する面の全域を覆う大きさである必要があるため、製造コストの低廉化が難しい。また、この画像読取装置では、調光部材を構成する液晶材料等の経年劣化により背景色の切り替え性能が低下し、裏写りの除去性能が低下するおそれがある。
【０００５】
本発明は、上記従来の実情に鑑みてなされたものであって、製造コストを低廉化できるとともに、裏写りの除去性能の低下を抑制できる画像読取装置を提供することを目的とする。
【課題を解決するための手段】
【０００６】
本発明の画像読取装置は、原稿支持面が形成された支持板を有し、内部に第１収容空間が区画された本体部と、
前記第１収容空間内に設けられ、前記原稿支持面に支持された原稿の画像を主走査方向において読み取る読取部と、
前記読取部を前記主走査方向と直交する副走査方向に往復移動させる第１移動手段と、
前記原稿支持面を覆う閉鎖位置と、前記原稿支持面を開放する開放位置と、の間で変位可能に前記本体部に支持され、前記原稿支持面に対向可能な透明部を有し、内部に第２収容空間が区画された開閉部と、
前記第２収容空間内に設けられ、前記開閉部が前記閉鎖位置にある状態で、前記支持板及び前記透明部を間に位置させつつ前記読取部に対向可能な背景部と、
前記背景部を前記副走査方向に往復移動させる第２移動手段と、
前記第１移動手段及び前記第２移動手段を作動させることにより、前記背景部を前記読取部に対向させつつ前記読取部を前記副走査方向に移動させて、前記原稿支持面に支持された原稿の画像を読み取る読取動作を実行する制御部と、を備え、
前記背景部は、前記副走査方向において並ぶ白色領域及び黒色領域を有し、
前記制御部は、前記読取動作において裏写りを除去する場合、前記黒色領域を前記読取部に対向させる一方、前記読取動作において裏写りを除去しない場合、前記白色領域を前記読取部に対向させることを特徴とする。
【０００７】
本発明の画像読取装置では、原稿支持面を覆う大きさの調光部材の代わりに、背景部を備えている。そして、読取動作において背景部が読取部に対向したままで副走査方向に移動する構成により、背景部の大きさを原稿支持面よりも大幅に小さくできる。その結果、この画像読取装置では、背景部の部品コスト等を低廉化できる。
【０００８】
また、この画像読取装置では、背景部の白色領域及び黒色領域は、例えば、板材やシール等の素材色で色分けしたり、塗膜で色分けしたりすることができるので、電圧が印加される調光部材と比較して経年劣化し難い。その結果、この画像読取装置では、背景色の切り替え性能が低下し難い。
【０００９】
したがって、本発明の画像読取装置では、製造コストを低廉化できるとともに、裏写りの除去性能の低下を抑制できる。
【図面の簡単な説明】
【００１０】
【図１】実施例１の画像読取装置の斜視図であって、開閉部が閉鎖位置にある状態を示す図である。
【図２】実施例１の画像読取装置のブロック図である。
【図３】図１と同様の斜視図であって、開閉部が開放位置にある状態を示す図である。
【図４】実施例１の画像読取装置の模式断面図であって、読取センサが原点位置に停止し、背景部が第１ストッパに当て止まった状態等を示す図である。
【図５】図４と同様の模式断面図であって、第１読取センサ及び背景部が第１方向に移動する動作を説明する図である。
【図６】図４と同様の模式断面図であって、第１読取センサ及び背景部が第２方向に移動する動作を説明する図である。
【図７】実施例１の画像読取装置に係り、リセット動作プログラムのフローチャートである。
【図８】実施例１の画像読取装置に係り、読取動作プログラムのフローチャートである。
【図９】実施例１の画像読取装置に係り、読取動作プログラムのフローチャートである。
【図１０】実施例２の画像読取装置の模式断面図である。
【図１１】実施例２の画像読取装置のブロック図である。
【発明を実施するための形態】
【００１１】
以下、本発明を具体化した実施例１、２について図面を参照しつつ説明する。
【００１２】
（実施例１）
図１に示すように、実施例１の画像読取装置１は、本発明の画像読取装置の具体的態様の一例である。図１では、操作パネル９Ｐが配置される側を装置の前方と規定し、操作パネル９Ｐに向かった場合に左に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１３】
＜本体部及び開閉部の構成＞
図１〜図４に示すように、画像読取装置１は、本体部９及び開閉部７を備えている。
【００１４】
図３及び図４に示すように、本体部９は、略箱状体である第１筐体９０と、透明な矩形板材である支持板８とを有している。第１筐体９０の上壁９１には、矩形状の開口９１Ｈが形成されている。支持板８は、開口９１Ｈを塞ぐように、上壁９１に固定されている。
【００１５】
第１筐体９０の内部には、第１収容空間９Ａが区画されている。第１収容空間９Ａは、第１筐体９０と支持板８とによって囲まれた閉鎖空間である。
【００１６】
ガラス等の透明材料で構成される支持板８には、原稿支持面８Ａが形成されている。原稿支持面８Ａは、支持板８の上面のうち、第１筐体９０の開口９１Ｈから露出する領域である。原稿支持面８Ａは、画像読取対象の原稿を支持する。原稿は、シートや書籍等である。
【００１７】
図１、図３及び図４に示すように、開閉部７は、本体部９の上方に設けられている。開閉部７は、略箱状体である第２筐体７０と、それぞれ透明な矩形板材である透明部６及び窓部５とを有している。透明部６及び窓部５はそれぞれ、ガラスやプラスチック等の透明材料で構成されている。
【００１８】
第２筐体７０の後端部は、図３に示す複数のヒンジ７９を介して、第１筐体９０の後端部に連結されている。これにより、開閉部７は、左右方向に延びる開閉軸心Ｘ７周りに揺動可能に本体部９に支持されている。開閉部７は、図１及び図４〜図６に示すように原稿支持面８Ａを覆う閉鎖位置と、図３に示すように原稿支持面８Ａを開放する開放位置との間で揺動可能である。
【００１９】
開閉部７の構成についての以下の説明では、上下方向及び前後方向について、開閉部７が閉鎖位置にある状態を基準とする。
【００２０】
図４に示すように、開閉部７が閉鎖位置にある状態で、第２筐体７０の下壁７２は、第１筐体９０の上壁９１に対向している。第２筐体７０の上壁７１は、下壁７２から上方に離間した位置で、下壁７２と略平行に延している。
【００２１】
図３及び図４に示すように、第２筐体７０の下壁７２には、矩形状の開口７２Ｈが形成されている。透明部６は、開口７２Ｈを塞ぐように、下壁７２に固定されている。
【００２２】
図４に示すように、開閉部７が閉鎖位置にある状態で、透明部６は、原稿支持面８Ａと対向する。透明部６の大きさは、原稿支持面８Ａによりも若干大きく設定されている。
【００２３】
図１及び図４に示すように、第２筐体７０の上壁７１には、矩形状の開口７１Ｈが形成されている。窓部５は、開口７１Ｈを塞ぐように、上壁７１に固定されている。つまり、窓部５は、開閉部７における透明部６とは反対を向く面側に設けられている。窓部５の大きさは、透明部６と同じ程度の大きさに設定されている。
【００２４】
図４に示すように、第２筐体７０の内部には、第２収容空間７Ａが区画されている。第２収容空間７Ａは、第２筐体７０と透明部６と窓部５とによって囲まれた閉鎖空間である。
【００２５】
窓部５は、開閉部７が閉鎖位置にある状態で、第２収容空間７Ａ及び透明部６を間に位置させつつ原稿支持面８Ａに対向する。
【００２６】
＜操作パネル及び制御部の構成＞
図２に示すように、本体部９には、操作パネル９Ｐ及び制御部３が設けられている。
【００２７】
図１に示すように、操作パネル９Ｐは、第１筐体９０の前面側に配置されている。操作パネル９Ｐは、ユーザによって操作され、画像読取装置１が読取動作を含む各種動作を実行するための入力を受ける。また、操作パネル９Ｐは、読取動作を実行するときに裏写りを除去するか否かの入力も受けるようになっている。
【００２８】
図２に示すように、制御部３は、ＣＰＵ３Ｃ、ＲＯＭ３Ｂ、ＲＡＭ３Ａを主とするマイクロコンピュータとして構成されている。ＲＯＭ３Ｂには、ＣＰＵ３Ｃが画像読取装置１の各種動作を制御するための複数のプログラムやデータベース等が格納されている。ＲＡＭ３Ａは、ＣＰＵ３Ｃが上記プログラムを実行する際に用いるデータや信号を一時的に記録する記憶領域、又はデータ処理の作業領域として使用される。制御部３は、操作パネル９Ｐと、次に説明する駆動源Ｍ１及び読取センサ３０とを制御する。
【００２９】
＜駆動源、第１移動手段及び読取センサの構成＞
図４に示すように、本体部９の第１収容空間９Ａ内には、駆動源Ｍ１、第１移動手段１０及び読取センサ３０が設けられている。読取センサ３０は、本発明の「読取部」の一例である。
【００３０】
駆動源Ｍ１は、第１筐体９０の左側壁の近傍に配置されている。図示は簡略するが、駆動源Ｍ１は、制御部３の制御によって正転及び逆転して駆動ギヤを駆動するステッピングモータと、駆動ギヤに噛み合うギヤ群とを含んで構成されている。駆動源Ｍ１は、上向きに突出する出力軸Ｍ１Ａと、下向きに突出する出力軸Ｍ１Ｂとを有している。
【００３１】
出力軸Ｍ１Ａには、駆動側カップリング１８が一体回転可能に固定されている。駆動側カップリング１８は、第１筐体９０の上壁９１に貫通するように形成された挿通穴９１Ｃに挿通されている。
【００３２】
駆動側カップリング１８は、開閉部７が閉鎖位置にある状態で、後述する従動側カップリング２８と一体回転可能に嵌合するようになっている。その一方、図３に示すように、駆動側カップリング１８は、開閉部７が開放位置に揺動するときに、従動側カップリング２８から離間して、開閉部７の揺動を許容するようになっている。
【００３３】
図４に示すように、第１移動手段１０は、駆動プーリ１３、従動プーリ１４、タイミングベルト１６及びキャリッジ１５を有している。
【００３４】
駆動プーリ１３は、駆動源Ｍ１の出力軸Ｍ１Ｂに一体回転可能に固定されている。従動プーリ１４は、第１筐体９０の右側壁の近傍に配置されている。タイミングベルト１６は、駆動プーリ１３と従動プーリ１４とに巻き掛けられている。
【００３５】
キャリッジ１５は、第１筐体９０内に設けられた図示しないガイドレールに案内されることにより、第１筐体９０内で左右方向に移動可能となっている。キャリッジ１５は、タイミングベルト１６に連結されている。
【００３６】
駆動源Ｍ１のステッピングモータが正転し、タイミングベルト１６が駆動プーリ１３と従動プーリ１４との間で循環することにより、図５に示すように、キャリッジ１５が第１筐体９０の左側壁側から第１筐体９０の右側壁側に向けて移動するようになっている。副走査方向に沿って、画像読取装置１の左側面側から右側面側に向かう方向を第１方向Ｄ１とする。
【００３７】
その一方、駆動源Ｍ１のステッピングモータが逆転し、タイミングベルト１６が駆動プーリ３１と従動プーリ１４との間で逆向きに循環することにより、図６に示すように、キャリッジ１５が第１筐体９０の右側壁側から第１筐体９０の左側壁側に向けて移動するようになっている。副走査方向に沿って、画像読取装置１の右側面側から左側面側に向かう方向を第２方向Ｄ２とする。
【００３８】
読取センサ３０は、キャリッジ１５に保持されている。読取センサ３０は、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取センサ３０の上面側には、複数の読取素子が主走査方向である前後方向に並んで配置されている。読取センサ３０は、それらの読取素子によって、原稿支持面８Ａに支持された原稿の画像を主走査方向において読み取るようになっている。
【００３９】
読取センサ３０は、キャリッジ１５の第１方向Ｄ１への移動、及び第２方向Ｄ２への移動によって、原稿支持面８Ａの下で、副走査方向である左右方向に往復移動するようになっている。
【００４０】
図３〜図５に示すように、読取センサ３０は、原稿支持面８Ａの左端よりも左方にずれた位置から、原稿支持面８Ａの右端よりも右方にずれた位置までの範囲で移動可能である。
【００４１】
＜トルクリミッタ、第２移動手段、背景部及び第１、２ストッパの構成＞
図４に示すように、開閉部７の第２収容空間７Ａ内には、トルクリミッタ２９、第２移動手段２０、背景部４０、第１ストッパ２１及び第２ストッパ２２が設けられている。
【００４２】
トルクリミッタ２９は、第２筐体７０の左側壁の近傍に配置されている。トルクリミッタ２９は、下向きに突出する入力軸２９Ａと、上向きに突出する出力軸２９Ｂとを有している。
【００４３】
入力軸２９Ａには、従動側カップリング２８が一体回転可能に固定されている。従動側カップリング２８は、第２筐体７０の下壁７２に貫通するように形成された挿通穴７２Ｃに挿通されている。
【００４４】
開閉部７の開閉時における従動側カップリング２８と駆動側カップリング１８との嵌合及び離間は、上述した通りである。
【００４５】
図４に示すように、第２移動手段２０は、駆動プーリ２３、従動プーリ２４及びタイミングベルト２６を有している。
【００４６】
駆動プーリ２３は、トルクリミッタ２９の出力軸２９Ｂに一体回転可能に固定されている。従動プーリ２４は、第２筐体７０の右側壁の近傍に配置されている。タイミングベルト２６は、駆動プーリ２３と従動プーリ２４とに巻き掛けられている。
【００４７】
背景部４０は、図４の紙面奥行き方向において、原稿支持面８Ａよりも長く延びている。背景部４０の下面は、透明部６に僅かな隙間を有して対向する平坦面である。背景部４０は、第２筐体７０内に設けられた図示しないガイドレールに案内されることにより、第２筐体７０内で左右方向に移動可能となっている。背景部４０は、タイミングベルト２６に連結されている。
【００４８】
駆動源Ｍ１のステッピングモータが正転し、駆動源Ｍ１から駆動側カップリング１８及び従動側カップリング２８を経由してトルクリミッタ２９に駆動力が伝達されると、トルクリミッタ２９は、その駆動力を所定値以下に制限して第２移動手段２０に伝達する。これにより、タイミングベルト２６が駆動プーリ２３と従動プーリ２４との間で循環し、図５に示すように、背景部４０が第２筐体７０の左側壁側から第２筐体７０の右側壁側に向けて、すなわち、第１方向Ｄ１に移動するようになっている。
【００４９】
その一方、駆動源Ｍ１のステッピングモータが逆転し、駆動源Ｍ１から駆動側カップリング１８及び従動側カップリング２８を経由してトルクリミッタ２９に駆動力が伝達されると、トルクリミッタ２９は、その駆動力を所定値以下に制限して第２移動手段２０に伝達する。これにより、タイミングベルト２６が駆動プーリ２３と従動プーリ２４との間で逆向きに循環し、図６に示すように、背景部４０が第２筐体７０の右側壁側から第２筐体７０の左側壁側に向けて、すなわち、第２方向Ｄ２に移動するようになっている。
【００５０】
図３〜図５に示すように、背景部４０は、透明部６の左端よりも左方にずれた位置から、透明部６の右端よりも右方にずれた位置までの範囲で移動可能である。
【００５１】
図４に示すように、第１ストッパ２１は、第２筐体７０の上壁７１の下面から下向きに突出する略ブロック形状の小片である。第１ストッパ２１は、窓部５の左端よりも左方にずれた位置に配置されている。つまり、第１ストッパ２１は、第２収容空間７Ａにおける副走査方向の一方の端部に配置されている。
【００５２】
第１ストッパ２１は、第２方向Ｄ２に移動する背景部４０が透明部６の左端よりも左方にずれた位置に到達したときに背景部４０を当て止めて、背景部４０の副走査方向の一方への移動、すなわち第２方向Ｄ２への移動を制限する。そのため、第１ストッパ２１は、所定の力が加わっても移動又は変形しないように設けられている。
【００５３】
第２ストッパ２２は、第２筐体７０の上壁７１の下面から下向きに突出する略ブロック形状の小片である。第２ストッパ２２は、窓部５の右端よりも右方にずれた位置に配置されている。つまり、第２ストッパ２２は、第２収容空間７Ａにおける副走査方向の他方の端部に配置されている。
【００５４】
図５に示すように、第２ストッパ２２は、第１方向Ｄ１に移動する背景部４０が透明部６の右端よりも右方にずれた位置に到達したときに背景部４０を当て止めて、背景部４０の副走査方向の他方への移動、すなわち第１方向Ｄ１への移動を制限する。そのため、第２ストッパ２２は、所定の力が加わっても移動又は変形しないように設けられている。
【００５５】
図４に示すように、第１ストッパ２１が背景部４０を当て止める状態で、駆動源Ｍ１のステッピングモータが逆転すると、駆動源Ｍ１から駆動側カップリング１８及び従動側カップリング２８を経由してトルクリミッタ２９に伝達された駆動力は、トルクリミッタ２９によってその駆動力が所定値以下に制限されて駆動プーリ２３に伝達される。このため、第１ストッパ２１が背景部４０を当て止める状態が維持される。
【００５６】
この際、駆動源Ｍ１のステッピングモータがさらに逆転して、読取センサ３０を第２方向Ｄ２に移動させ、所望の位置で停止させることにより、読取センサ３０と背景部４０との位置関係を調整できる。その後、駆動源Ｍ１のステッピングモータが正転することにより、図５に示すように、読取センサ３０と背景部４０との位置関係を維持したまま、読取センサ３０及び背景部４０を第１方向Ｄ１に移動させることができる。
【００５７】
図５に示すように、第２ストッパ２２が背景部４０を当て止める状態で、動源Ｍ１のステッピングモータが正転すると、駆動源Ｍ１から駆動側カップリング１８及び従動側カップリング２８を経由してトルクリミッタ２９に伝達された駆動力は、トルクリミッタ２９によってその駆動力が所定値以下に制限されて駆動プーリ２３に伝達される。このため、第２ストッパ２２が背景部４０を当て止める状態が維持される。
【００５８】
この際、駆動源Ｍ１のステッピングモータがさらに正転して、読取センサ３０を第１方向Ｄ１に移動させ、所望の位置で停止させることにより、読取センサ３０と背景部４０との位置関係を調整できる。その後、駆動源Ｍ１のステッピングモータが逆転することにより、図６に示すように、読取センサ３０と背景部４０との位置関係を維持したまま、読取センサ３０及び背景部４０を第２方向Ｄ２に移動させることができる。
【００５９】
このような駆動源Ｍ１、トルクリミッタ２９、第１ストッパ２１及び第２ストッパ２２の作用により、背景部４０は、開閉部７が閉鎖位置にある状態で、支持板８及び透明部６を間に位置させつつ読取センサ３０に対向可能となっている。
【００６０】
図４に示すように、背景部４０の副走査方向の長さＬ４０は、読取センサ３０の副走査方向の長さＬ３０の２倍以上に設定されている。これにより、背景部４０が読取センサ３０に対向する状態で、背景部４０が十分な余裕を持って読取センサ３０を覆うようになっている。
【００６１】
＜白基準領域及び黒基準領域の構成＞
原稿支持面８Ａよりも副走査方向の一方にずれた位置で第１収容空間９Ａを区画して読取センサ３０に対向可能な内壁面、すなわち、第１筐体９０の上壁９１の下面のうちの原稿支持面８Ａよりも左方にずれた位置にある領域には、白基準領域ＳＷ１及び黒基準領域ＳＢ１が設けられている。
【００６２】
白基準領域ＳＷ１及び黒基準領域ＳＢ１は、副走査方向において並び、それぞれ主走査方向に延びている。白基準領域ＳＷ１は、黒基準領域ＳＢ１に対して左方に位置しており、黒基準領域ＳＢ１よりも左右方向の長さが大きく設定されている。白基準領域ＳＷ１の右端と黒基準領域ＳＢ１の左端とが接することにより、白基準領域ＳＷ１と黒基準領域ＳＢ１との境界が形成されている。
【００６３】
＜読取センサの原点位置＞
第１収容空間９Ａにおける原稿支持面８Ａの左端よりも左方にずれた位置には、読取センサ３０の原点位置ＨＰ１が設定されている。
【００６４】
原点位置ＨＰ１は、図６に示すように、読取センサ３０が白基準領域ＳＷ１と黒基準領域ＳＢ１との境界を読み取った位置を制御部３が取得し、制御部３が駆動源Ｍ１のステッピングモータを制御して、読取センサ３０を白基準領域ＳＷ１と黒基準領域ＳＢ１との境界から第２方向Ｄ２に向かって少し移動させた点に設定されている。
【００６５】
そして、第１ストッパ２１の位置は、図６に示すように、読取センサ３０及び背景部４０が第２方向Ｄ２に移動し、読取センサ３０が白基準領域ＳＷ１と黒基準領域ＳＢ１との境界を通過した後、図４に示すように、読取センサ３０が原点位置ＨＰ１に位置したときに、背景部４０が第１ストッパ２１に当て止まる位置関係となるように設定されている。
【００６６】
＜第１、２白色領域及び第１、２黒色領域の構成＞
背景部４０は、第１白色領域Ｗ１と第１黒色領域Ｂ１との組と、第２白色領域Ｗ２と第２黒色領域Ｂ２との組と、を有している。第１白色領域Ｗ１及び第２白色領域Ｗ２は、本発明の「白色領域」の一例である。第１黒色領域Ｂ１及び第２黒色領域Ｂ２は、本発明の「黒色領域」の一例である。
【００６７】
第１白色領域Ｗ１、第２白色領域Ｗ２、第１黒色領域Ｂ１及び第２黒色領域Ｂ２は、板材やシール等の素材色で色分けしたり、塗膜で色分けしたりすることにより、背景部４０の下面に形成されている。
【００６８】
第１白色領域Ｗ１、第２白色領域Ｗ２、第１黒色領域Ｂ１及び第２黒色領域Ｂ２は、副走査方向において、右から第１白色領域Ｗ１、第１黒色領域Ｂ１、第２白色領域Ｗ２、第２黒色領域Ｂ２の順番で白と黒とが交互に等間隔で並び、それぞれ主走査方向に延びている。
【００６９】
第１黒色領域Ｂ１が第１白色領域Ｗ１に対して左方にずれる距離を所定距離α１とする。第２白色領域Ｗ２が第１黒色領域Ｂ１に対して左方にずれる距離も所定距離α１である。第２黒色領域Ｂ２が第２白色領域Ｗ２に対して左方にずれる距離も所定距離α１である。
【００７０】
図４〜図６に実線で示す読取センサ３０は、背景部４０の第１白色領域Ｗ１に対向する状態となっている。図４〜図６に二点鎖線で示す読取センサ３０は、背景部４０の第２黒色領域Ｂ２に対向する状態となっている。図示は省略するが、読取センサ３０は、背景部４０の第１黒色領域Ｂ１に対向する状態、及び第２白色領域Ｗ２に対向する状態となり得る。
【００７１】
図４〜図６に示す読取センサ３０と背景部４０の位置関係において、読取センサ３０の読取位置は、各白色領域（第１白色領域Ｗ１、第２白色領域Ｗ２）又は各黒色領域（第１黒色領域Ｂ１、第２黒色領域Ｂ２）の左右方向の中央部付近に位置し、少なくとも第１白色領域Ｗ１及び第２黒色領域Ｂ２の左右方向の幅は、読取センサ３０の副走査方向の長さＬ３０の半分以上となっており、可能ならその長さＬ３０と同等の幅とすることが望ましい。
【００７２】
第１白色領域Ｗ１及び第２白色領域Ｗ２は、読取センサ３０が原稿支持面８Ａに支持された原稿の画像を読み取るときに、原稿の周囲に黒枠が生じないようにするためのものであり、裏写りは除去しない。
【００７３】
第１黒色領域Ｂ１及び第２黒色領域Ｂ２は、読取センサ３０が原稿支持面８Ａに支持された原稿の画像を読み取るときに、裏写りは除去するためのものである。
【００７４】
＜リセット動作及び読取動作＞
制御部３は、電源ＯＮ時に、図７に示すリセット動作プログラムを実行する。そして、制御部３は、原稿支持面８Ａに支持された原稿の画像を読み取る読取動作を行う際に、図８及び図９に示す読取動作プログラムを実行する。なお、図７に示すリセット動作プログラムは、図８のステップＳ２０３において、読取動作プログラムのサブルーチンとしても実行される。
【００７５】
制御部３は、図７に示すリセット動作プログラムを開始すると、ステップＳ１０１において、駆動源Ｍ１のステッピングモータを正転させる。そして、制御部３は、第１移動手段１０及び第２移動手段２０を同期させて読取センサ３０及び背景部４０を第１方向Ｄ１に向けて移動させる。
【００７６】
すると、図５に示すように、読取センサ３０及び背景部４０が支持板８及び透明部６を通り過ぎ、背景部４０が第２ストッパ２２に当て止って第１方向Ｄ１への移動が制限される。制御部３は、その後にも、駆動源Ｍ１のステッピングモータを正転させ、読取センサ３０をさらに第１方向Ｄ１に向けて移動させる。その結果、読取センサ３０は、第１筐体９０の上壁９１及び第２筐体７０の下壁７２を間に位置させつつ背景部４０の第１白色領域Ｗ１に対向する。
【００７７】
ステップＳ１０１は、本発明の「第１動作」の一例である。第１白色領域Ｗ１は、本発明の「特定の白色領域」の一例である。
【００７８】
次に、制御部３は、ステップＳ１０２に移行して、駆動源Ｍ１のステッピングモータを逆転させる。そして、制御部３は、第１移動手段１０及び第２移動手段２０を同期させて読取センサ３０及び背景部４０を第２方向Ｄ２に向けて移動させる。この際、制御部３は、読取センサ３０の読取画像を継続的に取得する。
【００７９】
次に、制御部３は、ステップＳ１０３に移行して、読取センサ３０が白基準領域ＳＷ１と黒基準領域ＳＢ１との境界を通過したか否かを判断する。制御部３は、読取センサ３０が白基準領域ＳＷ１と黒基準領域ＳＢ１との境界を通過する瞬間に、読取センサ３０の読取画像が黒から白に変わることで、読取センサ３０がその境界を通過したと判断できる。
【００８０】
ステップＳ１０３において「Ｙｅｓ」の場合、ステップＳ１０４に移行する。その一方、ステップＳ１０３において「Ｎｏ」の場合、ステップＳ１０２、Ｓ１０３を繰り返す。
【００８１】
制御部３は、ステップＳ１０４に移行すると、駆動源Ｍ１のステッピングモータをさらに逆転させて、読取センサ３０を白基準領域ＳＷ１と黒基準領域ＳＢ１との境界から第２方向Ｄ２に向かって移動させる。
【００８２】
次に、制御部３は、ステップＳ１０５に移行して、駆動源Ｍ１のステッピングモータが所定の回転角度まで逆転したときに、ステッピングモータを停止させ、図６に示すように、読取センサ３０を原点位置ＨＰに停止させる。このとき、背景部４０が第１ストッパ２１に当て止まる状態となる。また、読取センサ３０が第１筐体９０の上壁９１及び第２筐体７０の下壁７２を間に位置させつつ背景部４０の第１白色領域Ｗ１に対向する状態が維持される。さらに、読取センサ３０が白基準領域ＳＷ１に対向する状態も維持される。
【００８３】
ステップＳ１０２〜Ｓ１０５は、本発明の「第２動作」の一例である。ステップＳ１０１〜Ｓ１０５は、本発明の「準備動作」の一例である。
【００８４】
次に、制御部３は、ステップＳ１０６に移行して、読取センサ３０の原点位置ＨＰ１をＲＡＭ３Ａに記憶させる。
【００８５】
次に、制御部３は、ステップＳ１０７に移行して、読取センサ３０に対する背景部４０の位置を示す背景部位置情報をＲＡＭ３Ａに記憶させる。ＲＡＭ３Ａは、本発明の「位置情報記憶部」の一例である。背景部位置情報は、より詳しくは、読取センサ３０が背景部４０の第１白色領域Ｗ１、第２白色領域Ｗ２、第１黒色領域Ｂ１及び第２黒色領域Ｂ２のうちのいずれと対向する位置にあるかを示す情報である。ステップＳ１０７では、読取センサ３０が第１白色領域Ｗ１に対向する位置にあるという情報がＲＡＭ３Ａに記憶される。
【００８６】
次に、制御部３は、ステップＳ１０８に移行して、タイマをゼロに初期設定した後、このプログラムを終了する。
【００８７】
タイマは、図８のステップＳ２０４で行う白黒補正によって得られた補正値の有効期間を測定するためのものである。白黒補正によって得られた補正値は、時間経過によって画像読取装置１自体の内部温度や雰囲気温度が変位すると、適正値からずれるおそれがある。このため、制御部３は、タイマが所定期間経過する場合、図８及び図９に示す読取動作プログラムの実行途中において、白黒補正をやり直すようになっている。
【００８８】
制御部３は、図７に示すリセット動作プログラムの終了後、読取動作の実行指示があるまで待機する。この間、制御部３は、ユーザの操作や外部情報端末からの指令等に基づいて、読取動作時に裏写りを除去することが選択されているか否かをＲＡＭ３Ａに記憶させる。
【００８９】
そして、ユーザの操作や外部情報端末からの指令等によって読取動作の実行が指示されると、制御部３は、図８及び図９に示す読取動作プログラムを開始する。
【００９０】
制御部３は、図８に示すステップＳ２０１において、ＲＡＭ３Ａに記憶された背景部位置情報に基づいて、読取センサ３０が背景部４０の第１白色領域Ｗ１に対向する位置にあるか否かを判断する。
【００９１】
ステップＳ２０１において「Ｙｅｓ」の場合、ステップＳ２０４に移行する。その一方、ステップＳ２０１において「Ｎｏ」の場合、ステップＳ２０２に移行する。電源ＯＮされて、図７に示すリセット動作プログラムが実行された直後の読取動作であれば、ステップＳ２０１において「Ｙｅｓ」となる。２回目以降の読取動作であれば、ステップＳ２０１において「Ｙｅｓ」又は「Ｎｏ」となる。
【００９２】
ステップＳ２０１からステップＳ２０２に移行すると、タイマが所定時間経過したか否かを判断する。
【００９３】
ステップＳ２０２において「Ｙｅｓ」の場合、白黒補正をやり直す必要がある。このため、制御部３は、ステップＳ２０３に移行して、図７に示すリセット動作プログラムをサブルーチンとして実行した後、ステップＳ２０１に戻る。
【００９４】
その一方、ステップＳ２０２において「Ｎｏ」の場合、白黒補正の補正値が有効であると判断できる。このため、制御部３は、図９に示すステップＳ２１１に移行する。
【００９５】
ステップＳ２０１からステップＳ２０４に移行すると、制御部３は、白基準領域ＳＷ１を読み取って白黒補正を行い、補正値を取得する。そして、タイマをリセットし、ゼロから計測開始する。
【００９６】
次に、制御部３は、ステップＳ２０５に移行して、ＲＡＭ３Ａに記憶された情報に基づいて、裏写りを除去するか否かを判断する。
【００９７】
ステップＳ２０５において「Ｙｅｓ」の場合、ステップＳ２０６に移行する。その一方、ステップＳ２０５において「Ｎｏ」の場合、ステップＳ２０８に移行する。
【００９８】
ステップＳ２０５からステップＳ２０６に移行すると、制御部３は、駆動源Ｍ１のステッピングモータを逆転させて、第１白色領域Ｗ１に対向する読取センサ３０を第２方向Ｄ２に所定距離α１に移動させる。この際、背景部４０は、第１ストッパ２１及びトルクリミッタ２９によって、第２方向Ｄ２への移動が制限される。これにより、読取センサ３０は、第１筐体９０の上壁９１及び第２筐体７０の下壁７２を間に位置させつつ、背景部４０の第１黒色領域Ｂ１に対向する位置に停止する。ステップＳ２０６は、本発明の「第３動作」の一例である。
【００９９】
次に、制御部３は、ステップＳ２０７に移行して、背景部位置情報をＲＡＭ３Ａに記憶させる。ここでは、背景部位置情報は、読取センサ３０が第１黒色領域Ｂ１に対向する位置にあるという情報である。その後、ステップＳ２０８に移行する。
【０１００】
ステップＳ２０５又はステップＳ２０７からステップＳ２０８に移行すると、制御部３は、駆動源Ｍ１のステッピングモータを正転させる。そして、制御部３は、図５に示すように、第１移動手段１０及び第２移動手段２０を同期させて読取センサ３０及び背景部４０を第１方向Ｄ１に向けて移動させる。読取センサ３０は、支持板８及び透明部６を間に位置させつつ背景部４０と対向する状態で、原稿支持面８Ａに支持された原稿の画像を読み取る。制御部３は、読取センサ３０の読取画像を取得し、原稿支持面８Ａに支持された原稿の画像データを生成して、ＲＡＭ３Ａに記憶させる。
【０１０１】
次に、制御部３は、ステップＳ２０９に移行して、読取センサ３０及び背景部４０が支持板８及び透明部６を通り過ぎた後、背景部４０が第２ストッパ２２に当て止まる前に、駆動源Ｍ１のステッピングモータを逆転させる。そして、制御部３は、図６に示すように、第１移動手段１０及び第２移動手段２０を同期させて読取センサ３０及び背景部４０を第２方向Ｄ２に向けて移動させる。
【０１０２】
次に、制御部３は、ステップＳ２１０に移行して、ステップＳ２０８を開始する直前の位置で、読取センサ３０を停止させる。この際、背景部４０は、第１ストッパ２１に当て止まる状態となる。そして、制御部３は、このプログラムを終了し、次に読取動作の実行指示があるまで待機する。なお、タイマ計測は、バックグランドで継続される。
【０１０３】
遡って、ステップＳ２０２から図９に示すステップＳ２１１に移行すると、制御部３は、ＲＡＭ３Ａに記憶された背景部位置情報に基づいて、読取センサ３０が背景部４０の第１黒色領域Ｂ１に対向する位置にあるか否かを判断する。
【０１０４】
ステップＳ２１１において「Ｙｅｓ」の場合、ステップＳ２１２に移行する。その一方、ステップＳ２１１において「Ｎｏ」の場合、ステップＳ２１５に移行する。
【０１０５】
ステップＳ２１１からステップＳ２１２に移行すると、制御部３は、ＲＡＭ３Ａに記憶された情報に基づいて、裏写りを除去するか否かを判断する。
【０１０６】
ステップＳ２１２において「Ｙｅｓ」の場合、図８に示すステップＳ２０８に移行する。ステップＳ２０８以降の処理は、上述した通りである。その一方、ステップＳ２１２において「Ｎｏ」の場合、ステップＳ２１３に移行する。
【０１０７】
ステップＳ２１２からステップＳ２１３に移行すると、制御部３は、駆動源Ｍ１のステッピングモータを逆転させて、第１黒色領域Ｂ１に対向する読取センサ３０を第２方向Ｄ２に所定距離α１に移動させる。この際、背景部４０は、第１ストッパ２１及びトルクリミッタ２９によって、第２方向Ｄ２への移動が制限される。これにより、読取センサ３０は、第１筐体９０の上壁９１及び第２筐体７０の下壁７２を間に位置させつつ、背景部４０の第２白色領域Ｗ２に対向する位置に停止する。
【０１０８】
次に、制御部３は、ステップＳ２１４に移行して、背景部位置情報をＲＡＭ３Ａに記憶させる。ここでは、背景部位置情報は、読取センサ３０が第２白色領域Ｗ２に対向する位置にあるという情報である。その後、図８に示すステップＳ２０８に移行する。ステップＳ２０８以降の処理は、上述した通りである。
【０１０９】
遡って、ステップＳ２１１からステップＳ２１５に移行すると、制御部３は、ＲＡＭ３Ａに記憶された背景部位置情報に基づいて、読取センサ３０が背景部４０の第２白色領域Ｗ２に対向する位置にあるか否かを判断する。
【０１１０】
ステップＳ２１５において「Ｙｅｓ」の場合、ステップＳ２１６に移行する。その一方、ステップＳ２１５において「Ｎｏ」の場合、ステップＳ２１９に移行する。
【０１１１】
ステップＳ２１５からステップＳ２１６に移行すると、制御部３は、ＲＡＭ３Ａに記憶された情報に基づいて、裏写りを除去するか否かを判断する。
【０１１２】
ステップＳ２１６において「Ｙｅｓ」の場合、ステップＳ２１７に移行する。その一方、ステップＳ２１６において「Ｎｏ」の場合、図８に示すステップＳ２０８に移行する。ステップＳ２０８以降の処理は、上述した通りである。
【０１１３】
ステップＳ２１６からステップＳ２１７に移行すると、制御部３は、駆動源Ｍ１のステッピングモータを逆転させて、第２白色領域Ｗ２に対向する読取センサ３０を第２方向Ｄ２に所定距離α１に移動させる。この際、背景部４０は、第１ストッパ２１及びトルクリミッタ２９によって、第２方向Ｄ２への移動が制限される。これにより、読取センサ３０は、第１筐体９０の上壁９１及び第２筐体７０の下壁７２を間に位置させつつ、背景部４０の第２黒色領域Ｂ２に対向する位置に停止する。このときの読取センサ３０の位置は、図４に二点鎖線で示す読取センサ３０の位置である。ステップＳ２１７も、本発明の「第３動作」の一例である。
【０１１４】
次に、制御部３は、ステップＳ２１８に移行して、背景部位置情報をＲＡＭ３Ａに記憶させる。ここでは、背景部位置情報は、読取センサ３０が第２黒色領域Ｂ２に対向する位置にあるという情報である。その後、図８に示すステップＳ２０８に移行する。ステップＳ２０８以降の処理は、上述した通りである。
【０１１５】
遡って、ステップＳ２１５からステップＳ２１９に移行すると、読取センサ３０が背景部４０の第２黒色領域Ｂ２に対向する位置にあることを意味するので、制御部３は、ＲＡＭ３Ａに記憶された情報に基づいて、裏写りを除去するか否かを判断する。
【０１１６】
ステップＳ２１９において「Ｙｅｓ」の場合、図８に示すステップＳ２０８に移行する。ステップＳ２０８以降の処理は、上述した通りである。その一方、ステップＳ２１９において「Ｎｏ」の場合、図８に示すステップＳ２０３に移行する。ステップＳ２０３以降の処理は、上述した通りである。
【０１１７】
＜作用効果＞
実施例１の画像読取装置１では、図４等に示すように、原稿支持面８Ａを覆う大きさの調光部材の代わりに、背景部４０を備えている。そして、読取動作において背景部４０が読取センサ３０に対向したままで副走査方向に移動する構成により、背景部４０の大きさを原稿支持面８Ａよりも大幅に小さくできる。その結果、この画像読取装置１では、背景部４０の部品コスト等を低廉化できる。
【０１１８】
また、この画像読取装置１では、背景部４０の第１白色領域Ｗ１、第２白色領域Ｗ２、第１黒色領域Ｂ１及び第２黒色領域Ｂ２は、例えば、板材やシール等の素材色で色分けしたり、塗膜で色分けしたりすることができるので、電圧が印加される調光部材と比較して経年劣化し難い。その結果、この画像読取装置１では、背景色の切り替え性能が低下し難い。
【０１１９】
したがって、実施例１の画像読取装置１では、製造コストを低廉化できるとともに、裏写りの除去性能の低下を抑制できる。
【０１２０】
また、この画像読取装置１では、制御部３が第１ストッパ２１、第２ストッパ２２及びトルクリミッタ２９を利用しつつ駆動源Ｍ１を制御して、第１移動手段１０及び第２移動手段２０を駆動する簡素な構成によって、背景色を確実に切り替えることができる。その結果、この画像読取装置１では、背景部４０の位置を検出するためのセンサを開閉部７に設けなくてもよくなるとともに、本体部９と開閉部７とに別々の駆動源を設けなくてもよくなるので、製造コストをより一層低廉化できる。
【０１２１】
さらに、この画像読取装置１では、制御部３は、読取動作を実行するときに、準備動作として、第１動作及び第２動作を実行する。第１動作は、図７に示すステップＳ１０１であり、その処理は上述した通りである。第２動作は、図７に示すステップＳ１０２〜Ｓ１０５であり、その処理は上述した通りである。そして、制御部３は、背景部４０の黒色領域（第１黒色領域Ｂ１又は第２黒色領域Ｂ２）を読取センサ３０に対向させる場合、第３動作を実行する。第３動作は、図８に示すステップＳ２０６と、図９に示すステップＳ２１７とである。制御部３は、第３動作として、背景部４０が第１ストッパ２１により第２方向Ｄ２の移動を制限された状態で、読取センサ３０を原点位置ＨＰ１から第２方向Ｄ２に向けて所定距離移動させる。その結果、この画像読取装置１では、１つの駆動源Ｍ１で、背景色を白と黒とに円滑に切り替えることができる。
【０１２２】
また、この画像読取装置１では、図７に示すステップＳ１０３において、白基準領域ＳＷ１及び黒基準領域ＳＢ１に基づいて、読取センサ３０の原点位置ＨＰ１を精度良く判断できる。その結果、この画像読取装置１では、読取センサ３０の原点位置ＨＰ１を検出する専用のセンサを省略できるので、製造コストを一層低廉化できる。
【０１２３】
さらに、この画像読取装置１では、制御部３は、白色領域（第１白色領域Ｗ１又は第２白色領域Ｗ２）が読取センサ３０に対向する状態と、黒色領域（第１黒色領域Ｂ１又は第２黒色領域Ｂ２）が読取センサ３０に対向させる状態とを切り替える場合、予め、図８に示すステップＳ２０１、図９に示すステップＳ２１１、Ｓ２１５において、背景部位置情報に基づいて、読取センサ３０と背景部４０との位置関係を確認した上で、第１動作（図７に示すステップＳ１０１）を実施するか、又は第３動作（図８に示すステップＳ２０６、又は図９に示すステップＳ２１７）を実施するかを決定する。このような背景部位置情報に基づく制御により、この画像読取装置１では、白色領域（第１白色領域Ｗ１又は第２白色領域Ｗ２）と黒色領域（第１黒色領域Ｂ１又は第２黒色領域Ｂ２）との切り替えの所要時間を短縮できる。
【０１２４】
また、この画像読取装置１では、制御部３は、図８及び図９のステップＳ２０１、Ｓ２１１、Ｓ２１５において、ＲＡＭ３Ａに記憶された背景部位置情報に基づいて、白色領域（第１白色領域Ｗ１又は第２白色領域Ｗ２）及び黒色領域（第１黒色領域Ｂ１又は第２黒色領域Ｂ２）のどちらが読取センサ３０に対向しているかを判断する。そして、制御部３は、黒色領域（第１黒色領域Ｂ１又は第２黒色領域Ｂ２）が読取センサ３０に対向していると判断し、かつ裏写りを除去しない場合、図９のステップＳ２１２、Ｓ２１９で「Ｎｏ」となる。そして、制御部３は、第２方向Ｄ２側に白色領域（第２白色領域Ｗ２）が存在していれば、ステップＳ２１２からステップＳ２１３に移行して、読取センサ３０を第２方向Ｄ２に向けて移動させ、第２白色領域Ｗ２に対向する位置に停止させる。その一方、制御部３は、第２方向Ｄ２側に白色領域（第２白色領域Ｗ２）が存在していなければ、ステップＳ２１９からステップＳ２０３に移行し、図７のステップＳ１０１〜Ｓ１０８を実施し、読取センサ３０を第１白色領域Ｗ１に対向する位置に停止させる。このような制御により、この画像読取装置１では、白色領域（第１白色領域Ｗ１又は第２白色領域Ｗ２）と黒色領域（第１黒色領域Ｂ１又は第２黒色領域Ｂ２）との切り替えの所要時間を一層短縮できる。
【０１２５】
さらに、この画像読取装置１では、図４等に示すように、背景部４０は、白色領域（第１白色領域Ｗ１又は第２白色領域Ｗ２）及び黒色領域（第１黒色領域Ｂ１又は第２黒色領域Ｂ２）の組を２組有している。そして、第１白色領域Ｗ１、第２白色領域Ｗ２、第１黒色領域Ｂ１及び第２黒色領域Ｂ２が副走査方向において交互に並んでいる。この構成により、読取動作を実行した後、背景色を切り替えて次の読取動作を実行するときに、図８のステップＳ２０６、及び図９のステップＳ２１３、Ｓ２１７に示すように、読取センサ３０の原点位置ＨＰ１の近傍での短距離の移動によって、背景色を切り替えることができる。その結果、この画像読取装置１では、読取動作の所要時間の短縮を実現できる。
【０１２６】
また、この画像読取装置１では、図１及び図４等に示すように、開閉部７が閉鎖位置にある状態で、窓部５によって原稿支持面８Ａに支持された原稿を目視できるので、その原稿が適正位置にあるか否かを容易に確認できる。また、背景部４０が窓部５と読取センサ３０との間に位置する状態で、読取センサ３０が読取動作を行うので、窓部５上に物体が置かれている場合でも、その物体が読取センサ３０に読み取られる不具合を抑制できる。
【０１２７】
さらに、この画像読取装置１では、図４に示すように、背景部４０の副走査方向の長さＬ４０は、読取センサ３０の副走査方向の長さＬ３０の２倍以上に設定されている。この構成により、背景部４０が十分な余裕を持って読取センサ３０を覆うので、透明部６を経由して読取センサ３０に向かう光が背景部４０に遮られて読取センサ３０に到達し難い。その結果、この画像読取装置１では、外光による読取センサ３０の読取品質の低下を抑制できる。
【０１２８】
（実施例２）
図１０及び図１１に示すように、実施例２の画像読取装置では、実施例１の画像読取装置１に係る駆動源Ｍ１の出力軸Ｍ１Ａ、駆動側カップリング１８、第１筐体９０の上壁９１の挿通穴９１Ｃ、トルクリミッタ２９、従動側カップリング２８、第１ストッパ２１及び第２ストッパ２２を無くしている。つまり、駆動源Ｍ１は、第１移動手段１０のみを駆動するように変更されている。
【０１２９】
そして、第２筐体７０の左側壁の近傍には、トルクリミッタ２９の代わりに、第２移動手段２０を駆動する駆動源Ｍ２が設けられている。図示は簡略するが、駆動源Ｍ２は、制御部３の制御によって正転及び逆転して駆動ギヤを駆動するステッピングモータと、駆動ギヤに噛み合うギヤ群とを含んで構成されている。駆動源Ｍ２の上向きに突出する出力軸Ｍ２Ｂには、第２移動手段２０の駆動プーリ２３が一体回転可能に固定されている。
【０１３０】
また、第２筐体７０の上壁７１には、第１ストッパ２１の代わりに、原点検出センサＳ１が設けられている。原点検出センサＳ１は、窓部５の左端よりも左方にずれた位置に配置されている。原点検出センサＳ１は、背景部４０の原点位置を検出して制御部３に検出信号を伝達する。
【０１３１】
実施例２のその他の構成は、実施例１と同様である。このため、実施例１と同一の構成については同一の符号を付して、説明を省略又は簡略する。
【０１３２】
このような構成である実施例２の画像読取装置では、制御部３が読取センサ３０、駆動源Ｍ１、Ｍ２及び原点検出センサＳ１を適宜制御することにより、実施例１の画像読取装置１と同様の読取動作を実施できる。
【０１３３】
したがって、実施例２の画像読取装置では、実施例１の画像読取装置１と同様に、製造コストを低廉化できるとともに、裏写りの除去性能の低下を抑制できる。
【０１３４】
以上において、本発明を実施例１、２に即して説明したが、本発明は上記実施例１、２に制限されるものではなく、その趣旨を逸脱しない範囲で適宜変更して適用できることはいうまでもない。
【０１３５】
例えば、透明部は、透明なガラス板や樹脂板を用いる構成に限定されず、透明なフィルム等の膜体が張力を付与されて平坦に保持される構成であってもよい。
【０１３６】
実施例１、２では、白基準領域ＳＷ１及び黒基準領域ＳＢ１に基づいて、読取センサ３０の原点位置ＨＰ１を検出するがこの構成には限定されず、例えば、読取部の原点位置を検出する専用のセンサを設けても良い。
【産業上の利用可能性】
【０１３７】
本発明は例えば、画像読取装置、複合機等に利用可能である。
【符号の説明】
【０１３８】
１…画像読取装置、８Ａ…原稿支持面、８…支持板、９Ａ…第１収容空間
９…本体部、３０…読取部（読取センサ）、１０…第１移動手段
６…透明部、７Ａ…第２収容空間、７…開閉部、４０…背景部
２０…第２移動手段、３…制御部
Ｗ１、Ｗ２…白色領域（Ｗ１…第１白色領域、Ｗ２…第２白色領域）
Ｂ１、Ｂ２…黒色領域（Ｂ１…第１黒色領域、Ｂ２…第２黒色領域）
Ｍ１、Ｍ２…駆動源、２９…トルクリミッタ
２１…第１ストッパ、２２…第２ストッパ、ＨＰ１…読取部の原点位置
ＳＷ１…白基準領域、ＳＢ１…黒基準領域
３Ａ…位置情報記憶部（ＲＡＭ）、５…窓部
Ｌ４０…背景部の副走査方向の長さ、Ｌ３０…読取部の副走査方向の長さ
Ｓ１０１〜Ｓ１０５…準備動作、Ｓ１０１…第１動作
Ｓ１０２〜Ｓ１０５…第２動作、Ｓ２０６、Ｓ２１７…第３動作
【図１】
2020053817.tif 000003
【図２】
2020053817.tif 000004
【図３】
2020053817.tif 000005
【図４】
2020053817.tif 000006
【図５】
2020053817.tif 000007
【図６】
2020053817.tif 000008
【図７】
2020053817.tif 000009
【図８】
2020053817.tif 000010
【図９】
2020053817.tif 000011
【図１０】
2020053817.tif 000012
【図１１】
2020053817.tif 000013